(57)【要約】【課題】外の明るさに基づいて、光源を適切な明るさで点灯させる。【解決手段】光源モジュール１３０は、基板１３４と、ＬＥＤ１３５（光源）と、照度センサ１３６とを有する。ＬＥＤ１３５及び照度センサ１３６は、基板１３４に実装されている。照度センサ１３６は、ＬＥＤ１３５が光を照射する照射方向の明るさを測定する。点灯装置は、光源モジュール１３０に対してＬＥＤ１３５を点灯する電力を供給する。制御装置は、ＬＥＤ１３５が点灯していないときに照度センサ１３６が測定した明るさと、ＬＥＤ１３５が点灯しているときに照度センサ１３６が測定した明るさとに基づいて、点灯装置の動作を制御する。【選択図】図２
2012174435.tif 000002
【特許請求の範囲】
【請求項１】
基板と、上記基板に実装された光源と、上記基板に実装され上記光源が光を照射する照射方向の明るさを測定する照度センサとを有する光源モジュールと、
上記光源モジュールに対して上記光源を点灯する電力を供給する点灯装置と、
上記光源が点灯していないときに上記照度センサが測定した明るさと、上記光源が点灯しているときに上記照度センサが測定した明るさとに基づいて、上記点灯装置の動作を制御する制御装置とを有することを特徴とする照明装置。
【請求項２】
上記制御装置は、
上記光源が点灯する前に上記照度センサが測定した明るさに基づいて、上記光源の点灯前における周囲の明るさを判定する点灯前周囲光判定部と、
上記光源が点灯した後に上記照度センサが測定した明るさを記憶する点灯後照度記憶部と、
上記光源が点灯を継続しているときに上記照度センサが測定した明るさと、上記点灯後照度記憶部が記憶した明るさとを比較して、周囲の明るさの変化を検出する点灯中周囲光変化検出部と、
上記点灯前周囲光判定部が判定した上記光源の点灯前における周囲の明るさと、上記点灯中周囲光変化検出部が検出した上記光源の点灯中における周囲の明るさの変化とに基づいて、上記光源の点灯中における周囲の明るさを判定する点灯中周囲光判定部と、
上記光源の点灯前に、上記点灯前周囲光判定部が判定した周囲の明るさに基づいて、上記光源を点灯する明るさを決定し、上記光源の点灯中に、上記点灯中周囲光判定部が判定した周囲の明るさに基づいて、上記光源を点灯する明るさを決定する調光決定部と、
上記点灯装置を制御して、上記調光決定部が決定した明るさで上記光源を点灯させる調光制御部とを有することを特徴とする請求項１に記載の照明装置。
【請求項３】
上記調光決定部は、上記周囲の明るさが所定の明るさより明るい場合に、上記照度センサが測定する明るさが第一の明るさになるよう、上記光源を点灯する明るさを決定し、上記周囲の明るさが上記所定の明るさより暗い場合に、上記照度センサが測定する明るさが、上記第一の明るさより暗い第二の明るさになるよう、上記光源を点灯する明るさを決定することを特徴とする請求項２に記載の照明装置。
【請求項４】
上記制御装置は、自動モードと手動モードとの２つの動作モードを有し、自動モードのとき、上記照度センサが測定した明るさに基づいて、上記点灯装置の動作を制御し、手動モードのとき、使用者の操作に基づいて、上記点灯装置の動作を制御することを特徴とする請求項１乃至請求項３のいずれかに記載の照明装置。
【請求項５】
上記制御装置は、
上記点灯装置に対して電力を供給する電源から、上記点灯装置に対して電力が供給されているか否かを判定する電力供給判定部と、
上記動作モードを記憶する動作モード記憶部と、
上記電力供給判定部が判定した結果に基づいて、上記電源と上記点灯装置との間に介在する電源スイッチを使用者が操作した操作パターンを判定する操作パターン判定部とを有し、
上記操作パターン判定部が判定した操作パターンに基づいて、上記動作モード記憶部が記憶した動作モードを切り替えることを特徴とする請求項４に記載の照明装置。
【請求項６】
上記光源モジュールは、
上記基板に実装され上記光源の照射方向に人が存在するか否かを検出する人感センサを有し、
上記制御装置は、上記照度センサが測定した明るさと、上記人感センサが検出した結果とに基づいて、上記点灯装置の動作を制御することを特徴とする請求項１乃至請求項５のいずれかに記載の照明装置。
【発明の詳細な説明】
【技術分野】
【０００１】
この発明は、照明装置に関する。
【背景技術】
【０００２】
照度センサを備え、あるいは、外部に設けられた照度センサからの信号を入力し、照度センサが検出した明るさに基づいて、光源を点灯する明るさを制御する照明装置がある。例えば、照度センサが検出する明るさが一定になるように、光源を点灯する明るさを制御することにより、外光がある昼間は、光源を点灯する明るさが暗くなるので、省エネルギーを図ることができる。
【先行技術文献】
【特許文献】
【０００３】
【特許文献１】特開平９−２２３５８４号公報
【特許文献２】特開２００７−２６８２９号公報
【発明の概要】
【発明が解決しようとする課題】
【０００４】
照度センサが検出する明るさが一定になるように、光源を点灯する明るさを制御する方式は、昼間の無駄な明るさを削減することができる。しかし、外が暗い夜間は、人間の生活リズムから言って、昼間と同じ明るさを保つよりも、昼間より少し暗くするほうが好ましい。また、そのように制御することにより、更なる省エネルギーを図ることができる。
しかし、照明装置の光源が光を照射する室内など明るさを照度センサが検出する構成の場合、外が明るいか暗いかを検出することができず、上記のような制御をすることが難しい。また、照明装置とは別に、室外の明るさを検出する照度センサを設ける構成の場合、システム構成が複雑化し、設置コストがかかる。
この発明は、例えば上記のような課題を解決するためになされたものであり、外の明るさに基づいて、光源を適切な明るさで点灯させることを目的とする。
【課題を解決するための手段】
【０００５】
この発明にかかる照明装置は、基板と、上記基板に実装された光源と、上記基板に実装され上記光源が光を照射する照射方向の明るさを測定する照度センサとを有する光源モジュールと、
上記光源モジュールに対して上記光源を点灯する電力を供給する点灯装置と、上記光源が点灯していないときに上記照度センサが測定した明るさと、上記光源が点灯しているときに上記照度センサが測定した明るさとに基づいて、上記点灯装置の動作を制御する制御装置とを有することを特徴とする。
【発明の効果】
【０００６】
この発明にかかる照明装置によれば、光源が点灯していないときに照度センサが測定した明るさと、光源が点灯しているときに照度センサが測定した明るさとに基づいて、点灯装置の動作を制御するので、光源が点灯しているときでも、光源が発する光以外の光による明るさを推定し、推定した明るさに基づいて、光源を適切な明るさで点灯させることができる。
【図面の簡単な説明】
【０００７】
【図１】実施の形態１における照明器具１００の構造を正視図。
【図２】実施の形態１におけるＬＥＤモジュール１３０の構造を示す正視図。
【図３】実施の形態１におけるＬＥＤモジュール１３０の回路構成を示す結線図。
【図４】実施の形態１における照明器具１００の機能ブロックを示すブロック構成図。
【図５】実施の形態１における制御装置１１２の機能ブロックを示す詳細ブロック図。
【図６】実施の形態１における点灯処理Ｓ５１０の流れを示すフローチャート図。
【図７】実施の形態１の自動モードにおける調光決定部１５８の動作を説明するためのグラフ図。
【図８】実施の形態２の自動モードにおける調光決定部１５８の動作を説明するためのグラフ図。
【図９】実施の形態３の自動モードにおける調光決定部１５８の動作を説明するためのグラフ図。
【図１０】実施の形態４におけるＬＥＤモジュール１３０の構造を示す正視図。
【図１１】実施の形態４における照明器具１００の機能ブロックを示すブロック構成図。
【図１２】実施の形態４における制御装置１１２の機能ブロックを示す詳細ブロック図。
【図１３】実施の形態５における制御装置１１２の機能ブロックを示す詳細ブロック図。
【発明を実施するための形態】
【０００８】
実施の形態１．
実施の形態１について、図１〜図７を用いて説明する。
【０００９】
図１は、この実施の形態における照明器具１００の構造を示す正視図である。
照明器具１００（照明装置）は、例えば、本体１１０と、ソケット１２０と、ＬＥＤモジュール１３０とを有する。本体１１０は、点灯装置（後述）などを内蔵する。ソケット１２０は、本体１１０に固定され、ＬＥＤモジュール１３０を接続する。ＬＥＤモジュール１３０は、ソケット１２０に着脱自在に接続される。ソケット１２０に接続されたＬＥＤモジュール１３０は、物理的に固定されるとともに、点灯装置などに電気接続される。
【００１０】
図２は、この実施の形態におけるＬＥＤモジュール１３０の構造を示す正視図である。
ＬＥＤモジュール１３０（光源モジュール）は、例えば、ＬＥＤモジュール本体１３１と、コネクタ１３２と、カバー１３３と、基板１３４と、ＬＥＤ１３５と、照度センサ１３６とを有する。ＬＥＤモジュール本体１３１は、例えば略半円柱状である。コネクタ１３２は、例えばＬＥＤモジュール本体１３１の両底面に２つずつ配置されている。コネクタ１３２は、ソケット１２０と係合して、ＬＥＤモジュール１３０をソケット１２０に物理的に固定するとともに、ＬＥＤ１３５などを、点灯装置などに電気接続する。カバー１３３は、例えば略半円筒状であり、ＬＥＤモジュール本体１３１と合わせて、全体として円柱形状を形成している。カバー１３３は、透明もしくは半透明であり、光を正透過もしくは拡散透過する。なお、カバー１３３は、集光などレンズとしての機能を有する構成であってもよい。基板１３４は、ＬＥＤモジュール本体１３１に固定され、カバー１３３に覆われている。基板１３４（プリント配線板）には、複数のＬＥＤ１３５と、照度センサ１３６とが実装されている。ＬＥＤ１３５（光源）は、コネクタ１３２を介して点灯装置から供給される電力により発光する。照度センサ１３６は、ＬＥＤ１３５が光を照射する方向（照射方向）とほぼ同じ方向から、逆向きに入射してくる光を受光することにより、照射方向の明るさを測定する。この例において、ＬＥＤ１３５及び照度センサ１３６は、直線状に配置されている。照度センサ１３６は、そのうちの中央に位置し、ＬＥＤ１３５は、照度センサ１３６の両側に同数が配置されている。これにより、複数のＬＥＤ１３５が全体として照射する照射範囲と、照度センサ１３６が照度を検出する範囲とが、ほぼ一致する。
【００１１】
図３は、この実施の形態におけるＬＥＤモジュール１３０の回路構成を示す結線図である。
複数のＬＥＤ１３５は、互いに直列に電気接続している。複数のＬＥＤ１３５が直列に接続した直列回路（光源回路）は、ＬＥＤモジュール本体１３１の一方の底面に配置された２つのコネクタ１３２の間に電気接続している。また、照度センサ１３６（照度検出回路）は、ＬＥＤ１３５が接続しているコネクタ１３２とは異なるもう一方の底面に配置された２つのコネクタ１３２の間に電気接続している。なお、複数のＬＥＤ１３５の間やＬＥＤ１３５とコネクタ１３２との間を接続する配線と、照度センサ１３６とコネクタ１３２との間を接続する配線とは、基板１３４の同一の面に設ける構成であってもよいし、基板１３４に両面基板を使い、異なる面に設ける構成であってもよい。あるいは、基板１３４に多層基板を使い、異なる層に設ける構成であってもよい。
なお、ＬＥＤモジュール１３０は、３つのコネクタ１３２を有し、照度センサ１３６は、ＬＥＤ１３５が接続した２つのコネクタ１３２のうちの１つと、ＬＥＤ１３５が接続していないコネクタ１３２との間に電気接続する構成であってもよい。
また、ＬＥＤモジュール１３０は、２つのコネクタ１３２を有し、照度センサ１３６が測定した明るさにより変調した変調信号を生成し、生成した変調信号を、ＬＥＤ１３５が接続した２つのコネクタ１３２を介して送信する構成であってもよい。
【００１２】
図４は、この実施の形態における照明器具１００の機能ブロックを示すブロック構成図である。
本体１１０は、例えば、点灯装置１１１と、制御装置１１２とを有する。点灯装置１１１は、商用電源などの電源ＡＣ（交流電源）から電源スイッチＳＷを介して電力の供給を受け、供給された電力を、光源回路１４１（複数のＬＥＤ１３５が直列に接続した直列回路）に対して供給する電力に変換する。点灯装置１１１は、例えば、フライバックコンバータ回路やバックコンバータ回路などを有する。制御装置１１２は、点灯装置１１１の動作を制御する。制御装置１１２は、例えば本体１１０が電源ＡＣから電力の供給を受けているか否かや、照度検出回路１４２（照度センサ１３６）が測定した明るさなどに基づいて、点灯装置１１１の動作を制御し、ＬＥＤ１３５を点灯あるいは消灯させたり、ＬＥＤ１３５を点灯する明るさを調整したりする。なお、点灯装置１１１や制御装置１１２は、本体１１０のなかではなく、本体１１０の直上など本体１１０の外に位置する構成であってもよい。
制御装置１１２は、例えばマイコン（マイクロコンピュータ）を有する。マイコンは、例えば処理装置と、記憶装置と、入力装置と、出力装置とを有する。処理装置は、例えばＣＰＵであり、記憶装置が記憶したプログラムを実行することにより、データを処理し、マイコン全体を制御する。記憶装置は、例えば不揮発性メモリや揮発性メモリであり、処理装置が実行するプログラムや、処理装置が処理するデータを記憶する。入力装置は、例えばアナログデジタル変換回路であり、マイコンの外部から信号を入力して、処理装置が処理できるデータに変換する。出力装置は、例えばデジタルアナログ変換回路であり、処理装置が処理したデータや記憶装置が記憶したデータを、信号に変換してマイコンの外部へ出力する。
【００１３】
図５は、この実施の形態における制御装置１１２の機能ブロックを示す詳細ブロック図である。
制御装置１１２の機能ブロックは、例えばマイコンの処理装置がプログラムを実行することにより実現される。なお、制御装置１１２の機能ブロックは、マイコンではなく、他のデジタル回路やアナログ回路などによって実現するものであってもよい。
制御装置１１２（状態判別装置）は、例えば、電力供給判定部１５１と、操作判定部１５２と、動作モード記憶部１５３と、点灯前周囲光判定部１５４と、点灯後照度記憶部１５５と、点灯中周囲光変化検出部１５６と、点灯中周囲光判定部１５７と、調光決定部１５８と、調光制御部１５９とを有する。
電力供給判定部１５１は、電源ＡＣから点灯装置１１１に対して電力が供給されているか否かを判定する。操作判定部１５２は、電力供給判定部１５１が判定した判定結果に基づいて、使用者が電源スイッチＳＷを特定の操作パターンで操作したか否かを判定する。特定の操作パターンとは、例えば電源スイッチＳＷを一瞬だけオフにする操作を所定の回数繰り返す操作である。操作判定部１５２が判定する操作パターンには、例えば「動作モードを自動モードに切り替える」操作パターン、「動作モードを手動モードにし、光源の明るさを明るくする」操作パターン、「動作モードを手動モードにし、光源の明るさを暗くする」操作パターンなどがある。使用者は、所望の操作に対応する操作パターンで電源スイッチＳＷをオンオフすることにより、照明器具１００に対する指令をする。なお、電源ＡＣと照明器具１００との間には、電源スイッチＳＷのほかに、操作パターン発生装置が介在する構成であってもよい。操作パターン発生装置（瞬時停電操作スイッチ、プルレススイッチ、ワンツースイッチ）は、例えば複数の押しボタンを有し、使用者が所望の操作に対応する押しボタンを押すと、それに対応する操作パターンを、自動的に発生させる。あるいは、電源スイッチＳＷが操作パターン発生装置としての機能を有する構成であってもよい。また、操作判定部１５２は、例えばリモコンや、電源線以外に設けた信号線などを介して、使用者による指令を受信する構成であってもよい。
動作モード記憶部１５３は、照明器具１００の動作モードを記憶する。照明器具１００の動作モードには、例えば自動モードと、手動モードとがある。自動モードとは、光源の明るさを、照明器具１００が自動的に調整するモードである。手動モードとは、光源の明るさを、使用者の操作にしたがって変えるモードである。動作モード記憶部１５３は、動作モードが手動モードの場合、動作モードに加えて、使用者が指示した光源の明るさを記憶する。動作モード記憶部１５３は、操作判定部１５２が判定した操作パターンに基づいて、記憶した動作モードや光源の明るさを更新する。
【００１４】
点灯前周囲光判定部１５４は、点灯装置１１１が光源回路１４１の光源を点灯する前に、照度検出回路１４２が測定した明るさに基づいて、照明器具１００の周囲の明るさを判定する。ここで、照明器具１００の「周囲の明るさ」とは、外光など、照明器具１００が放射する光以外の光による明るさを意味する。光源回路１４１の光源がまだ点灯していないので、点灯前周囲光判定部１５４は、照度検出回路１４２が測定した明るさを、照明器具１００の周囲の明るさに、そのまま換算することができる。
点灯後照度記憶部１５５は、点灯装置１１１が光源回路１４１の光源を点灯した後に、照度検出回路１４２が測定した明るさを記憶する。光源回路１４１の光源が点灯しているので、点灯後照度記憶部１５５が記憶する明るさは、照明器具１００の周囲の明るさに、照明器具１００が発する光による明るさを加えたものである。
点灯中周囲光変化検出部１５６は、点灯装置１１１が光源回路１４１の光源を点灯し続けているときに、照度検出回路１４２が測定した明るさと、点灯後照度記憶部１５５が記憶している明るさとを比較することにより、照明器具１００の周囲の明るさの変化を検出する。点灯装置１１１が光源回路１４１を一定の明るさで点灯し続けている場合、照度検出回路１４２が測定する明るさの変化は、照明器具１００の周囲の明るさの変化に起因するものである。点灯中周囲光変化検出部１５６は、照度検出回路１４２が測定する明るさの変化を検出することにより、照明器具１００の周囲の明るさの変化を検出する。
点灯中周囲光判定部１５７は、点灯前周囲光判定部１５４が判定した照明器具１００の周囲の明るさと、点灯中周囲光変化検出部１５６が検出した照明器具１００の周囲の明るさの変化とに基づいて、照明器具１００の周囲の明るさを推測する。例えば、点灯中周囲光判定部１５７は、点灯前周囲光判定部１５４が判定した照明器具１００の周囲の明るさを記憶しておき、点灯中周囲光変化検出部１５６が検出した照明器具１００の周囲の明るさの変化に基づいて、記憶した照明器具１００の周囲の明るさを更新する。
調光決定部１５８は、光源回路１４１の光源を点灯する明るさを決定する。例えば、調光決定部１５８は、動作モード記憶部１５３が記憶した動作モードに基づいて、動作モードが自動モードか手動モードかを判定する。手動モードの場合、調光決定部１５８は、光源回路１４１の光源を点灯する明るさを、動作モード記憶部１５３が記憶した明るさに決定する。自動モードの場合、調光決定部１５８は、点灯前周囲光判定部１５４または点灯中周囲光判定部１５７が判定した照明器具１００の周囲の明るさに基づいて、光源回路１４１の光源を点灯する明るさを決定する。例えば、照明器具１００の周囲が明るいときは、光源回路１４１の光源を暗く点灯し、照明器具１００の周囲が暗いときは、光源回路１４１の光源を明るく点灯する。
調光制御部１５９は、点灯装置１１１を制御する制御信号を生成する。調光制御部１５９は、調光決定部１５８が決定した明るさで光源回路１４１の光源を点灯するよう、点灯装置１１１を制御する信号を生成する。調光制御部１５９は、例えば、光源回路１４１の光源を点灯すべき明るさを示す調光信号を生成する。点灯装置１１１は、調光制御部１５９が生成した信号にしたがって、光源回路１４１に対して供給する電力を調整し、調光決定部１５８が決定した明るさで、光源回路１４１の光源を点灯する。例えば、点灯装置１１１は、調光決定部１５８が決定した明るさで光源回路１４１の光源が点灯するよう、光源回路１４１を流れる電流を調整する。
なお、点灯前周囲光判定部１５４などは、例えば、調光制御部１５９が生成した信号に基づいて、光源が点灯しているか否かを判断する。あるいは、点灯装置１１１からＬＥＤモジュール１３０に対して電力が供給されているか否かを検出する装置（ＬＥＤ状態出力装置）を設け、その装置が検出した検出結果に基づいて、光源が点灯しているか否かを判断する構成であってもよい。
【００１５】
図６は、この実施の形態における点灯処理Ｓ５１０の流れを示すフローチャート図である。
点灯処理Ｓ５１０において、照明器具１００は、光源回路１４１の光源を点灯する。点灯処理Ｓ５１０は、例えば、点灯前周囲光判定工程Ｓ５１１と、調光決定工程Ｓ５１２と、調光点灯工程Ｓ５１３と、点灯後照度記憶工程Ｓ５１４と、操作判定工程Ｓ５１５と、動作モード記憶工程Ｓ５１６と、点灯中周囲光変化検出工程Ｓ５１７と、点灯中周囲光判定工程Ｓ５１８と、消灯工程Ｓ５１９とを有する。電源ＡＣからの電力供給が開始すると、照明器具１００は、点灯前周囲光判定工程Ｓ５１１から処理を開始する。
点灯前周囲光判定工程Ｓ５１１において、点灯前周囲光判定部１５４は、照度検出回路１４２が測定した明るさに基づいて、照明器具１００の周囲の明るさを判定する。点灯中周囲光判定部１５７は、点灯前周囲光判定部１５４が判定した照明器具１００の周囲の明るさを記憶する。
調光決定工程Ｓ５１２において、調光決定部１５８は、動作モード記憶部１５３が記憶した動作モードを判定する。動作モードが手動モードである場合、調光決定部１５８は、動作モード記憶部１５３が記憶した明るさで、光源回路１４１の光源を点灯すると決定する。動作モードが自動モードである場合、調光決定部１５８は、点灯前周囲光判定工程Ｓ５１１で点灯前周囲光判定部１５４が判定した（あるいは、点灯中周囲光判定工程Ｓ５１８で点灯中周囲光判定部１５７が判定した）照明器具１００の周囲の明るさに基づいて、光源回路１４１の光源を点灯する明るさを決定する。
調光点灯工程Ｓ５１３において、調光制御部１５９は、調光決定工程Ｓ５１２で調光決定部１５８が決定した光源回路１４１の光源を点灯する明るさに基づいて、点灯装置１１１を制御する信号を生成する。点灯装置１１１は、調光制御部１５９が生成した信号にしたがって、光源回路１４１に対して電力を供給し、指示された明るさで光源回路１４１の光源を点灯する。照明器具１００が動作を開始した直後や、調光決定工程Ｓ５１２で調光決定部１５８が決定した光源回路１４１の光源を点灯する明るさが変化した場合、照明器具１００は、点灯後照度記憶工程Ｓ５１４へ処理を進める。調光決定工程Ｓ５１２で調光決定部１５８が決定した光源回路１４１の光源を点灯する明るさが、前回と同じで変化がない場合、照明器具１００は、操作判定工程Ｓ５１５へ処理を進める。
点灯後照度記憶工程Ｓ５１４において、点灯後照度記憶部１５５は、調光決定工程Ｓ５１２で調光決定部１５８が決定した明るさで光源回路１４１の光源が点灯した後、照度検出回路１４２が測定した照明器具１００の周囲の明るさを記憶する。
操作判定工程Ｓ５１５において、操作判定部１５２は、使用者による操作の有無を判定する。使用者による操作がない場合、照明器具１００は、点灯中周囲光変化検出工程Ｓ５１７へ処理を進める。使用者による操作がある場合であって、その操作が消灯操作である場合、照明器具１００は、消灯工程Ｓ５１９へ処理を進める。使用者による操作がある場合であって、その操作が動作モードの変更操作や光源回路１４１の光源を点灯する明るさの変更操作である場合、照明器具１００は、動作モード記憶工程Ｓ５１６へ処理を進める。
動作モード記憶工程Ｓ５１６において、動作モード記憶部１５３は、操作判定工程Ｓ５１５で操作判定部１５２が判定した操作にしたがって、記憶した動作モードや光源の明るさを更新し、更新した動作モードや光源の明るさを記憶する。
点灯中周囲光変化検出工程Ｓ５１７において、点灯中周囲光変化検出部１５６は、点灯後照度記憶工程Ｓ５１４で点灯後照度記憶部１５５が記憶した明るさと、照度検出回路１４２が測定した明るさとに基づいて、照明器具１００の周囲の明るさの変化を検出する。
点灯中周囲光判定工程Ｓ５１８において、点灯中周囲光判定部１５７は、点灯中周囲光変化検出部１５６が検出した照明器具１００の周囲の明るさの変化に基づいて、記憶した照明器具１００の周囲の明るさを更新し、更新した照明器具１００の周囲の明るさを記憶する。照明器具１００は、調光決定工程Ｓ５１２に処理を戻す。
【００１６】
図７は、この実施の形態の自動モードにおける調光決定部１５８の動作を説明するためのグラフ図である。
横軸は、照明器具１００の周囲の明るさ（周囲光）を表わす。縦軸は、調光決定部１５８が決定する光源回路１４１の光源を点灯する明るさ（調光度）を表わす。
例えば、照明器具１００の周囲の明るさが、破線で示す所定の明るさ６１１よりも暗い場合、調光決定部１５８は、破線で示す所定の明るさ６２１（例えば調光度１００％）で、光源回路１４１の光源を点灯すると決定する。照明器具１００の周囲の明るさが、明るさ６１１よりも明るい場合、調光決定部１５８は、破線で示す所定の明るさ６２２（例えば調光度７０％）で、光源回路１４１の光源を点灯すると決定する。明るさ６２２は、明るさ６２１より暗い。これにより、昼間など照明器具１００の周囲が明るい場合に、照明器具１００が消費する電力を抑えることができる。
なお、光源回路１４１を点灯する明るさを変化させる閾値となる明るさは、一つではなく、複数あってもよい。調光決定部１５８は、照明器具１００の周囲が明るいほど、光源回路１４１の光源を暗く点灯すると決定する。
【００１７】
実施の形態２．
実施の形態２について、図８を用いて説明する。
なお、実施の形態１と共通する部分については、同一の符号を付し、説明を省略する。
この実施の形態では、照明器具１００の周囲の明るさにしたがって、調光決定部１５８が、光源回路１４１の光源を点灯する明るさを、段階的に変化させるのではなく、連続的に変化させる。
【００１８】
図８は、この実施の形態の自動モードにおける調光決定部１５８の動作を説明するためのグラフ図である。
横軸は、照明器具１００の周囲の明るさ（周囲光）を表わす。縦軸は、調光決定部１５８が決定する光源回路１４１の光源を点灯する明るさ（調光度）を表わす。
例えば、照明器具１００の周囲の明るさが、破線で示す所定の明るさ６１２よりも明るく、かつ、破線で示す所定の明るさ６１３よりも暗い場合、調光決定部１５８は、実線６３１で示すように、照明器具１００の周囲が暗いほど、光源回路１４１の光源を点灯させる明るさを、明るくする。照明器具１００の周囲の明るさが明るさ６１２である場合に、調光決定部１５８が決定する明るさ６２３が、光源回路１４１の光源の最大光出力であり、照明器具１００の周囲の明るさが明るさ６１２より暗い場合、光源回路１４１の光源を点灯させる明るさを、それ以上明るくすることができないので、調光決定部１５８は、光源回路１４１の光源を、明るさ６２３で点灯させると決定する。また、照明器具１００の周囲の明るさが明るさ６１３である場合に、調光決定部１５８が決定する明るさは０（すなわち、光源回路１４１の光源を点灯しない）である。照明器具１００の周囲の明るさが明るさ６１３より明るい場合、光源回路１４１の光源を点灯させる明るさを、それ以上暗くすることができないので、調光決定部１５８は、光源回路１４１の光源を、点灯しないと決定する。
照明器具１００の周囲の明るさが変化した場合に、光源回路１４１の光源を点灯する明るさが連続的に変化するので、光源回路１４１の光源を点灯する明るさが急激に変化した場合のような違和感が生じるのを防ぐことができる。
【００１９】
実施の形態３．
実施の形態３について、図９を用いて説明する。
なお、実施の形態１及び実施の形態２と共通する部分については、同一の符号を付し、説明を省略する。
この実施の形態における調光決定部１５８は、照明器具１００の周囲の明るさに基づいて、光源回路１４１の光源を点灯する明るさを直接決定するのではなく、照明器具１００の周囲の明るさに基づいて、照度検出回路１４２が測定する明るさの目標値を決定し、照度検出回路１４２が測定する明るさが、決定した目標値に一致するよう、光源回路１４１の光源を点灯する明るさを決定する。
例えば、調光決定部１５８は、照度検出回路１４２が測定した明るさを、決定した目標値と比較する。照度検出回路１４２が測定した明るさが、目標値より明るい場合、調光決定部１５８は、光源回路１４１の光源を点灯する明るさを暗くする。逆に、照度検出回路１４２が測定した明るさが、目標値より暗い場合、光源回路１４１の光源を点灯する明るさを明るくする。調光決定部１５８は、照度検出回路１４２が測定した明るさが目標値に一致するまで、これを繰り返す。
【００２０】
この実施の形態における点灯処理Ｓ５１０は、実施の形態１で説明したものと同様なので、図６を参照しつつ、異なる点のみを説明する。
調光決定工程Ｓ５１２において、調光決定部１５８は、点灯前周囲光判定工程Ｓ５１１で点灯前周囲光判定部１５４が判定した（あるいは、点灯中周囲光判定工程Ｓ５１８で点灯中周囲光判定部１５７が判定した）照明器具１００の周囲の明るさに基づいて、照度検出回路１４２が測定する明るさの目標値を決定する。調光決定部１５８は、照度検出回路１４２が測定した明るさと、決定した目標値とを比較する。照度検出回路１４２が測定した明るさが目標値より明るい場合、調光決定部１５８は、光源回路１４１の光源を点灯する明るさを、現在より少し暗い明るさに決定する。照度検出回路１４２が測定した明るさが目標値より暗い場合、調光決定部１５８は、光源回路１４１の光源を点灯する明るさを、現在より少し明るい明るさに決定する。
【００２１】
図９は、この実施の形態の自動モードにおける調光決定部１５８の動作を説明するためのグラフ図である。
横軸は、照明器具１００の周囲の明るさ（周囲光）を表わす。縦軸は、調光決定部１５８が決定する照度検出回路１４２が測定する明るさの目標値を表わす。
調光決定部１５８は、例えば、実線６３２で示すように、照明器具１００の周囲の明るさが明るくなるほど、照度検出回路１４２が測定する明るさの目標値を明るくする。ただし、照度検出回路１４２が測定する明るさの目標値の増加率は、照明器具１００の周囲の明るさの増加率より小さい。このため、照明器具１００の周囲が明るくなるほど、光源回路１４１の光源により補う明るさは小さくなる。このため、調光決定部１５８は、照明器具１００の周囲が明るくなるほど、光源回路１４１の光源を暗く点灯すると決定する。また、照明器具１００の周囲の明るさが、破線で示す明るさ６１４より明るい場合、照明器具１００の周囲の明るさだけで、照度検出回路１４２が測定する明るさの目標値を上回るので、光源回路１４１の光源により明るさを補う必要はない。結果的に、照明器具１００の周囲の明るさが明るさ６１４より明るい場合、調光決定部１５８は、光源回路１４１の光源を点灯しないと決定する。
このように、照度検出回路１４２が測定した明るさを使って、フィードバック制御をすることにより、照明器具１００が設置された室内などの明るさを、より正確に調整することができる。
【００２２】
実施の形態４．
実施の形態４について、図１０〜図１２を用いて説明する。
なお、実施の形態１〜実施の形態３と共通する部分については、同一の符号を付し、説明を省略する。
【００２３】
図１０は、この実施の形態におけるＬＥＤモジュール１３０の構造を示す正視図である。
ＬＥＤモジュール１３０は、実施の形態１で説明したＬＥＤモジュール１３０の一列に並んで配置されたＬＥＤ１３５のうち一番端のＬＥＤ１３５に代えて、人感センサ１３７を有する。人感センサ１３７は、基板１３４に実装されている。人感センサ１３７（人検出回路）は、ＬＥＤ１３５の照射方向に人が存在するか否かを検出する。
【００２４】
図１１は、この実施の形態における照明器具１００の機能ブロックを示すブロック構成図である。
制御装置１１２は、例えば本体１１０が電源ＡＣから電力の供給を受けているか否かや、照度検出回路１４２（照度センサ１３６）が測定した明るさに加えて、人検出回路１４３（人感センサ１３７）が検出した人の存否に基づいて、点灯装置１１１の動作を制御し、ＬＥＤ１３５を点灯あるいは消灯させたり、ＬＥＤ１３５を点灯する明るさを調整したりする。
【００２５】
図１２は、この実施の形態における制御装置１１２の機能ブロックを示す詳細ブロック図である。
動作モード記憶部１５３は、動作モードや光源の明るさに加えて、減光率を記憶する。減光率は、人がいるときにおける光源回路１４１の光源の明るさに対して、人がいないときにおける光源回路１４１の光源の明るさを暗くする割合を表わす。減光率０％の場合、照明器具１００は、人検出回路１４３が検出した検出結果とは関係なく、光源回路１４１の光源を点灯する明るさを決定する。減光率１００％の場合、照明器具１００は、人検出回路１４３が検出した検出結果に基づいて、人がいないと判定した場合、光源回路１４１の光源を点灯しない。減光率が０％より大きく１００％より小さい場合、照明器具１００は、人検出回路１４３が検出した検出結果に基づいて、人がいないと判定した場合、光源回路１４１の光源を、人がいると判定した場合の明るさに対して、減光率の分、割り引いた明るさで点灯する。
操作判定部１５２が判定する操作パターンには、実施の形態１で説明した操作パターンに加えて、例えば、「減光率を０％にする」操作パターン、「減光率を減少させる」操作パターン、「減光率を増加させる」操作パターン、「減光率を１００％にする」操作パターンなどがある。動作モード記憶部１５３は、操作判定部１５２が判定した操作パターンに基づいて、記憶した減光率を更新する。
調光決定部１５８は、人検出回路１４３が検出した検出結果に基づいて、人がいるか否かを判定する。人がいないと判定した場合、調光決定部１５８は、動作モード記憶部１５３が記憶した減光率に基づいて、決定した光源回路１４１の光源を点灯する明るさ（あるいは、照度検出回路１４２が測定する明るさの目標値）を調整する。なお、減光率が０％の場合、調光決定部１５８は、決定した光源回路１４１の光源を点灯する明るさ（あるいは、照度検出回路１４２が測定する明るさの目標値）を調整しない。また、減光率が１００％の場合、調光決定部１５８は、光源回路１４１の光源を点灯しないと決定する。
これにより、人がいないときは、光源を暗く点灯し、あるいは、点灯しないことができるので、照明器具１００が消費する電力を更に抑えることができる。
【００２６】
実施の形態５．
実施の形態５について、図１３を用いて説明する。
なお、実施の形態１〜実施の形態４と共通する部分については、同一の符号を付し、説明を省略する。
【００２７】
図１３は、この実施の形態における制御装置１１２の機能ブロックを示す詳細ブロック図である。
制御装置１１２は、実施の形態１で説明した構成に加えて、使用時間累積部１６１と、感度補正部１６２とを有する。
使用時間累積部１６１（タイマ）は、電力供給判定部１５１が判定した判定結果に基づいて、照明器具１００に対して電源ＡＣからの電力が供給されている時間を累積することにより、照明器具１００もしくはＬＥＤモジュール１３０の累積使用時間を測定する。なお、使用時間累積部１６１は、バックアップ用の電池などにより動作することにより、電源ＡＣからの電力供給の有無に関わらない累積使用時間を測定する構成であってもよい。
感度補正部１６２は、使用時間累積部１６１が測定した累積使用時間に基づいて、照度検出回路１４２が測定する明るさを補正する。例えば、人感センサ１３７は、経年劣化などにより感度が低下する場合がある。感度補正部１６２は、使用時間累積部１６１が測定した累積使用時間に基づいて、人感センサ１３７の感度の低下分を推定し、推定した低下分を補償する。
点灯前周囲光判定部１５４、点灯後照度記憶部１５５、点灯中周囲光変化検出部１５６などは、照度検出回路１４２が測定した明るさを直接入力するのではなく、感度補正部１６２が補正した明るさを入力する。点灯前周囲光判定部１５４は、感度補正部１６２が補正した明るさに基づいて、照明器具１００の周囲の明るさを判定する。点灯後照度記憶部１５５は、感度補正部１６２が補正した明るさを記憶する。点灯中周囲光変化検出部１５６は、感度補正部１６２が補正した明るさに基づいて、照明器具１００の周囲の明るさの変化を検出する。これにより、人感センサ１３７の経年劣化などに関わらず、照明器具１００の周囲の明るさを正しく判定することができる。
【００２８】
調光決定部１５８は、使用時間累積部１６１が測定した累積使用時間に基づいて、ＬＥＤモジュール１３０の光源を点灯する明るさを決定する。例えば、ＬＥＤ１３５は、経年劣化などにより発光量が低下する場合がある。調光決定部１５８は、使用時間累積部１６１が測定した累積使用時間に基づいて、ＬＥＤ１３５の発光量の低下分を推定し、推定した発光量の低下分を補うよう、ＬＥＤモジュール１３０の光源を点灯する明るさを明るめに決定する。例えば、調光決定部１５８は、発光量の低下分が１０％であると推定した場合、ＬＥＤモジュール１３０の光源を点灯する明るさを１１％明るくすることにより、ＬＥＤ１３５の発光量の低下分を補償する。
【００２９】
なお、調光決定部１５８は、使用時間累積部１６１が測定した累積使用時間が所定の寿命時間を超えた場合に、ＬＥＤモジュール１３０の光源を点灯しないと決定する構成であってもよい。そうすれば、照明器具１００やＬＥＤモジュール１３０が故障する前に、照明器具１００やＬＥＤモジュール１３０の交換を使用者に促すことができる。また、調光決定部１５８は、使用時間累積部１６１が測定した累積使用時間が所定の交換時間を超えた場合に、ＬＥＤモジュール１３０の光源を点滅させたり、通常よりも暗く点灯させたりして、照明器具１００やＬＥＤモジュール１３０の交換を使用者に促す構成であってもよい。
【００３０】
以上、各実施の形態で説明した構成は、一例であり、他の構成であってもよい。例えば、異なる実施の形態で説明した構成を組み合わせた構成であってもよいし、重要でない部分の構成を、他の構成で置きかえた構成であってもよい。
【００３１】
以上のように、光源を点灯する前に、照度検出回路１４２が測定した明るさや、光源を点灯する明るさを変化させない間に、照度検出回路１４２が測定した明るさの変化に基づいて、照明器具１００の周囲の明るさを推測するので、光源が点灯中であっても、照明器具１００の周囲の明るさを精度良く推測することができる。
また、推測した照明器具１００の周囲の明るさに基づいて、光源を点灯する明るさを決定するので、照明器具１００が設置された室内などの明るさを、周囲の明るさに合わせて変化させることができる。例えば、昼間など、照明器具１００の周囲が明るい場合には、照明器具１００が設置された室内なども明るくし、夜間など、照明器具１００の周囲が明るい場合には、照明器具１００が設置された室内なども暗くするといった制御が可能である。このような制御をすることにより、人体の視環境を良好にすることができる。
【符号の説明】
【００３２】
１００  照明器具、１１０  本体、１１１  点灯装置、１１２  制御装置、１２０  ソケット、１３０  ＬＥＤモジュール、１３１  ＬＥＤモジュール本体、１３２  コネクタ、１３３  カバー、１３４  基板、１３５  ＬＥＤ、１３６  照度センサ、１３７  人感センサ、１４１  光源回路、１４２  照度検出回路、１４３  人検出回路、１５１  電力供給判定部、１５２  操作判定部、１５３  動作モード記憶部、１５４  点灯前周囲光判定部、１５５  点灯後照度記憶部、１５６  点灯中周囲光変化検出部、１５７  点灯中周囲光判定部、１５８  調光決定部、１５９  調光制御部、１６１  使用時間累積部、１６２  感度補正部、ＡＣ  電源、ＳＷ  電源スイッチ。
【図１】
2012174435.tif 000003
【図２】
2012174435.tif 000004
【図３】
2012174435.tif 000005
【図４】
2012174435.tif 000006
【図５】
2012174435.tif 000007
【図６】
2012174435.tif 000008
【図７】
2012174435.tif 000009
【図８】
2012174435.tif 000010
【図９】
2012174435.tif 000011
【図１０】
2012174435.tif 000012
【図１１】
2012174435.tif 000013
【図１２】
2012174435.tif 000014
【図１３】
2012174435.tif 000015